(57)【要約】      （修正有）【課題】複数の太陽光パネルを簡易な構成で同期変動させると共に、設置や使用にもコストのかからない太陽電池架台とそれを用いた太陽光発電システムを提供する。【解決手段】太陽電池パネル１０を載置する太陽電池架台１であって、太陽電池架台基部と、上面に太陽電池パネルを載置するパネル載置部２と、該太陽電池架台基部に設けられパネル載置部２を略中央部の回動軸で回動可能に支持する回動支持部と、パネル載置部の該回動軸に対して対称な２点にそれぞれ伝動帯が接続される伝動帯接続部３，４とを備え、隣接する他の該太陽電池架台とそれぞれ伝動帯で連結することにより、伝動帯の張力で各太陽電池架台が同期回動するようにする。【選択図】図１
2013182979.tif 000002
【特許請求の範囲】
【請求項１】
太陽電池パネルを載置する太陽電池架台であって、
該太陽電池架台基部と、
上面に太陽電池パネルを載置するパネル載置部と、
該太陽電池架台基部に設けられ該パネル載置部を略中央部の回動軸で回動可能に支持する回動支持部と、
該パネル載置部の該回動軸に対して対称な２点にそれぞれ伝動帯が接続される伝動帯接続部とを備え、
隣接する他の該太陽電池架台とそれぞれ伝動帯で連結することにより、伝動帯の張力で各太陽電池架台が同期回動するようにした
ことを特徴とする太陽電池架台。
【請求項２】
前記太陽電池架台において、
前記パネル載置部が、前記太陽電池架台基部に対する傾斜角度を変動可能に支持される構成であって、
該太陽電池架台基部の固定点から傾斜用伝動帯を延設すると共に、
該傾斜用伝動帯を該パネル載置部の固定点に接続し、
該太陽電池架台の回動に伴って、該傾斜角度が変動するように構成した
請求項１に記載の太陽電池架台。
【請求項３】
前記太陽電池架台を１列に配列し、その列の端部に巻き掛け体を設けて前記２点に接続される無端の伝動帯を折り返すと共に、
該巻き掛け体を回動させて、該１列の太陽電池架台が同期回動するようにした
請求項１又は２に記載の太陽電池架台。
【請求項４】
前記１列に配列した太陽電池架台を、列方向と直交する行方向に並列し、
前記巻き掛け体同士を行方向の行方向伝動帯で連動させる
請求項３に記載の太陽電池架台。
【請求項５】
前記請求項１ないし４に記載の太陽電池架台に太陽電池パネルを載置し、
複数の太陽電池パネルで発電を行う太陽電池発電システム。
【発明の詳細な説明】
【技術分野】
【０００１】
本発明は、太陽電池パネルを載置する太陽電池架台とそれを用いた太陽電池発電システムに関し、特に太陽を追尾するように方位や仰角を変動することのできる太陽電池架台に係る技術である。
【背景技術】
【０００２】
近年、太陽電池パネルの技術進歩により、発電の効率化とパネルの低価格化が進んでいる。化石燃料を用いた発電や、原子力発電に変わって、自然エネルギーを利用した発電方法への関心も高まっている。
一方で、太陽光発電は夜間の発電ができないこと、太陽の向きによって照射する光量が大きく変わるため、発電量が一定しないことが課題となっている。
【０００３】
従って、発電された電力をバッテリーに蓄積することや、風力発電と組み合わせて使用することでこれらの欠点を補う試みがされているが、日照中の発電量を少しでも高めるために、効率良く発電ができるように太陽の向きに合わせて追尾することも重要な技術と考えられている。
【０００４】
特許文献１では、発電効率を向上させるため、架台の一縁に複数の支柱体を取付け、これに滑車とチェーンを組合わせて巻き上げ巻き下げにより架台一縁を上下させるか、支柱体にネジ切りしたシャフトを用い、これを回転させて架台を上下させ太陽電池パネルの仰角を変更することを提案している。
【０００５】
特許文献２では、次のような太陽電池装置を提案している。すなわち、複数の太陽電池パネルおよび複数の板部材がジグザグ状に直列に接続された受光部が筐体の上部に設けられ、筐体は、台座上で回動自在に軸支される。軸部には、付勢力を発生するスプリングが取付けられ、受光部の側面には、軸部を包絡するようにワイヤが設けられる。そして、ワイヤの長さを調整することによって、受光部の伸縮状態が調整され、その伸縮状態に応じて太陽電池パネルの仰角が調整される。また、台座に対して筐体を回動することによって、受光部の方角が調整される。
【０００６】
特許文献３では、船舶に太陽光発電パネルを取り付ける取付け台であって、取付け台の上部を長手方向の山型状の頂部構造とし、当該山型頂部に駆動軸が配置され、その駆動軸を中心として太陽光発電パネルの中心が幅方向に回動可能に配置された太陽光発電パネル用取付け台を提案している。
【先行技術文献】
【特許文献】
【０００７】
【特許文献１】特開２００２−３１７５４０号公報
【特許文献２】特開２００５−１０１１０３号公報
【特許文献３】特開２０１１−１４２２６１号公報
【発明の概要】
【発明が解決しようとする課題】
【０００８】
上記従来技術は、いずれも太陽の方位や仰角合わせて太陽光パネルの向きを変化させるための技術を提案するものであるが、複数の太陽光パネルを簡便に同期させて変動させるための技術を提供するものではない。
太陽光発電システムにおいては、多数のパネルを配置することが一般的であり、それぞれを別個に動作させたのでは手間もかかる上に、追尾する効率も悪く、また設備コストも高くなってしまう。
【０００９】
本発明は、上記従来技術の問題点に鑑み、複数の太陽光パネルを簡易な構成で同期変動させると共に、設置や使用にもコストのかからない太陽電池架台とそれを用いた太陽光発電システムを提供することを目的とする。
【課題を解決するための手段】
【００１０】
本発明は上記課題を解決するため次の通りの手段を提供する。
すなわち、太陽電池パネルを載置する太陽電池架台であって、該太陽電池架台基部と、上面に太陽電池パネルを載置するパネル載置部と、該太陽電池架台基部に設けられ該パネル載置部を略中央部の回動軸で回動可能に支持する回動支持部と、該パネル載置部の該回動軸に対して対称な２点にそれぞれ伝動帯が接続される伝動帯接続部とを備える。
そして、隣接する他の該太陽電池架台とそれぞれ伝動帯で連結することにより、伝動帯の張力で各太陽電池架台が同期回動するようにしたことを特徴とする。
【００１１】
上記の太陽電池架台において、パネル載置部が、太陽電池架台基部に対する傾斜角度を変動可能に支持される構成であって、太陽電池架台基部の固定点から傾斜用伝動帯を延設すると共に、該傾斜用伝動帯をパネル載置部の固定点に接続し、太陽電池架台の回動に伴って、該傾斜角度が変動するように構成してもよい。
【００１２】
上記の太陽電池架台を１列に配列し、その列の端部に巻き掛け体を設けて前記２点に接続される無端の伝動帯を折り返すと共に、該巻き掛け体を回動させて、該１列の太陽電池架台が同期回動するようにしてもよい。
【００１３】
上記の１列に配列した太陽電池架台を、列方向と直交する行方向に並列し、巻き掛け体同士を行方向の行方向伝動帯で連動させる構成でもよい。
【００１４】
本発明は、上記の太陽電池架台に太陽電池パネルを載置し、複数の太陽電池パネルで発電を行う太陽電池発電システムを提供することもできる。
【発明の効果】
【００１５】
本発明は次の効果を奏する。
太陽電池パネルを載置するパネル載置部を太陽電池架台基部に対して回動可能とすることで、太陽の方位に合わせた調整が可能である。そして、伝動帯により隣接する太陽電池架台と同期して、該パネル載置部が回動するので、複数の太陽電池パネルを簡単に同期回動することができる。
【００１６】
さらに、傾斜角度を太陽電池の回動に伴って変動させることで、太陽の追尾性能をさらに向上させることができる。
【００１７】
また、本発明は、伝動帯で各太陽電池架台を連結しているので、１列に配列することや、その列をさらに行方向に並列させて、多くの太陽電池パネルを同期させることが簡単に実現できる。
【図面の簡単な説明】
【００１８】
【図１】本発明に係る太陽電池架台が東向きの状態（平面視）を示す。
【図２】同、南向きの状態（平面視）を示す。
【図３】同、西向きの状態（平面視）を示す。
【図４】本発明に係る太陽電池架台の正面視である。
【図５】太陽電池架台を１列連結した状態の説明図である。
【図６】列方向及び行方向に太陽電池架台を連結した状態の説明図である。
【発明を実施するための形態】
【００１９】
以下、この発明の実施の形態について説明する。図１（ａ）は、本発明に係る太陽電池架台の平面視を示しており、東側（図中左側）から太陽光が照射している。
太陽電池架台（１）は、上面に太陽電池パネルを載置するパネル載置部（２）を備え、本発明ではこのパネル載置部（２）が、後述する太陽電池架台基部の回動支持部によって回動可能に支持されている。
【００２０】
そして、パネル載置部（２）は上部が円筒形で太陽パネルが固定される部位（２１）と、下部が平板体でワイヤが接続される部位（２２）とから構成される。該平板体部位（２２）は、中心に対して対称な２点に伝動帯接続部（３）（４）を備えている。
伝動帯接続部（３）（４）には、太陽電池架台（１）の方位を変動するためのワイヤ（５）が接続されており、本実施例では南北方向に張設された２本のワイヤ（５１）（５２）を用いている。
【００２１】
図中東側のワイヤ（５１）は、南方向から順に、ワイヤを挿通して位置決めするためのワイヤゲート（６）を通り、伝動帯接続部（３）で平板体部位（２２）と接続され、円筒形部位（２１）の側面に沿い、北側のワイヤゲート（６）を通る。
また、西側のワイヤ（５２）は、北方向から順に、北側のワイヤゲート（６）を通り、伝動帯接続部（４）で平板体部位（２２）と接続され、円筒形部位（２１）の上記と反対側面に沿い、北側のワイヤゲート（６）を通る。
【００２２】
以上の構成によれば、各ワイヤを互いに反対向きに引くことで、パネル載置部（２）は回転軸を中心に回動することができる。
図２は図１の状態から９０度時計回りに回動し、太陽電池パネルを南に向けた状態を示している。この時、ワイヤ（５１）は図１の位置から北側に変位し、伝動帯接続部（３）が西側となる。同様にワイヤ（５２）は南側に変位し、伝動帯接続部（４）が東側となる。
【００２３】
図３は、図２の状態からさらに９０度時計回りに回動し、太陽電池パネルを西に向けた状態を示している。この時、ワイヤ（５１）は図２の位置からさらに北側に変位し、伝動帯接続部（３）が北側となる。同様にワイヤ（５２）は南側に変位し、伝動帯接続部（４）が南側となる。
【００２４】
本発明は、このように各ワイヤ（５１）（５２）を南北方向に交互に変位させるだけで、パネル載置部（２）を太陽の向きに合わせて回動させることができる。特に２つの伝動帯接続部を回動軸に対して対称に配置し、２本のワイヤでそれぞれ引くことで、１本あたりの張力を半減することができ、安定的な回動動作にも寄与する。
【００２５】
本実施例では、伝動帯としてワイヤ（５）を用いたが、ベルトやチェーンなど帯状のいかなる部材を用いてもよい。
また、パネル載置部（２）は本実施例の構成に限らず、太陽電池架台基部上で回動支持部によって回動自在に支持されていれば、いかなる形状でもよい。
【００２６】
本発明の太陽電池架台（１）は上記構成に加えて、太陽に向けて太陽電池パネルの仰角を変化させるようにすることもできる。
図４は、太陽電池架台（１）の正面視を示している。本図では太陽電池パネル（１０）が支持棒（１１）上で揺動可能に載置され、支持棒（１１）はパネル載置部（２）に固設される。従って、パネル載置部（２）の回動に合わせて太陽電池パネル（１０）も回動することができる。
【００２７】
そして、太陽電池パネル（１０）の裏面の固定点（１２）には傾斜用伝動帯として傾斜用ワイヤ（７）が接続される。傾斜用ワイヤ（７）の他端は、太陽電池架台基部（９）の固定点（８）に接続される。
太陽電池架台基部（９）は設置場所において動かないので、太陽電池パネル（１０）が回動すると、両固定点（８）（１２）の水平距離が変化する。本発明はこれを利用して、太陽電池パネル（１０）の傾斜角を変動させる。
【００２８】
すなわち、図１（ａ）（ｂ）の状態では、固定点（８）から固定点（１２）までの距離Ｌ２が最も長くなるので、パネル載置部（２）上の滑車（１２１）からの垂直距離Ｌ１は短くなる。そのため、太陽電池パネル（１０）の固定点側、この場合は東側に向かってパネルが傾斜することになる。
言うまでもなく、これは太陽が東側にあるときに仰角が低くなることと対応し、太陽光に対して垂直に近く太陽電池パネル（１０）を向けることができる。
【００２９】
次に図２（ａ）（ｂ）の状態では、固定点（８）と固定点（１２）の水平距離Ｌ４は最も短くなるため、滑車（１２１）から固定点（１２）までの垂直距離Ｌ３は最も長くなる。南側で太陽は最も仰角が大きくなるので、太陽電池パネル（１０）も太陽に合わせて傾斜角度を変化させる。
図３（ａ）（ｂ）は図１と同様で、滑車（１２１）と各固定点（８）（１２）の距離Ｌ１、Ｌ２が定まり、西側に向けて傾斜角度が大きくなる。
【００３０】
本実施例で用いる傾斜用ワイヤ（７）も上記ワイヤ（５）と同様に、ベルトやチェーンなどを用いても良い。
また、傾斜用ワイヤ（７）は長さを調整する機構を設け、季節に合わせて傾斜角の変動範囲が変わるようにしてもよい。すなわち、冬期のように太陽の仰角が低い時期は傾斜用ワイヤ（７）の長さを短くし、南側を向いた状態でも仰角を小さくする。反対に夏期は、傾斜用ワイヤ（７）の長さを長くすることで、南側を向いたときに直上方あたりまで向けるようにする。
【００３１】
本発明はパネル載置部（２）の角度に合わせて仰角も変動するので、パネル載置部（２）を冬期は南東から北西の間で回動させ、仰角も小さい範囲で変動させる一方、夏期は、パネル載置部（２）を北東から南を通って北西までの範囲を回動させ、仰角も大きく変動させることもできる。これによって、ワイヤ（５）の変位量と、傾斜用ワイヤの長さ調整だけで、季節に応じた太陽の向きを簡便に追尾することができる。
【００３２】
本発明では、隣接する太陽電池架台（１）を上記ワイヤ（５）で連結して構成する。図５は、一例として５基の太陽電池架台（１）を１列連結した状態の説明図である。ワイヤ（５１）（５２）は１本のワイヤ（５）であり、端部の巻き掛け体（１３）により折り返されている。
【００３３】
巻き掛け体（１３）は例えば手動又は電動のウインチとし、これを回転させることで、パネル載置部（２）の回動動作を行うことができる。当然、巻き掛け体（１３）と異なる端部にも滑車等の巻き掛け体（１４）を備える。
本構成によれば、巻き掛け体（１３）を操作することで、各パネル載置部（２）が同期回動するので、複数の太陽電池パネルを簡便に太陽の向きに合わせることができる。
【００３４】
図６は、列方向及び行方向に太陽電池架台（１）をさらに連結した状態の説明図である。図５の一列の太陽電池架台（１）を行方向に拡張した例である。上記実施例の巻き掛け体（１３）をプーリーで構成し、各プーリー（１３）同士を行方向の伝動帯（１５）で連動させる。伝動帯（１５）は、巻き掛け体（１６）によって変位させることができるので、１つの巻き掛け体（１６）を動かすことによって、行、列に配列した全ての太陽電池架台（１）を一斉に同期回動させることができる。
【符号の説明】
【００３５】
１    太陽電池架台
２    パネル載置部
３    伝動帯接続部
４    伝動帯接続部
５    ワイヤ
６    ワイヤゲート
８    固定点
１０    太陽電池パネル
１２    固定点
２１    円筒形部位
２２    平板体部位
５１    東側のワイヤ
５２    西側のワイヤ
１２１    滑車
【図１】
2013182979.tif 000003
【図２】
2013182979.tif 000004
【図３】
2013182979.tif 000005
【図４】
2013182979.tif 000006
【図５】
2013182979.tif 000007
【図６】
2013182979.tif 000008